(57)【要約】【課題】収容室の壁部の強度の確保と収容室への電子部品等の挿入作業性の向上。【解決手段】電子部品１００が収容され、電子部品１００に対して電気的に接続された電線１５０が外部に引き出される筐体１０と、複数の電子部品１００が保持され、筐体１０の内部に形成された収容室２０に収容される電子部品保持体３０と、を備え、収容室２０の壁部２１ｂは、収容室２０の内方に向けて突出させ、かつ、電子部品保持体３０の収容室２０への挿入方向に沿って延在させた凸部６１と、収容室２０の外方に向けて凹ませ、挿入方向に沿って延在させた凹部６２と、を少なくとも１つずつ有し、電子部品保持体３０の壁部３０ｂは、電子部品保持体３０の収容室２０への挿入と共に収容室２０の凸部６１が収容される凹部６３と、電子部品保持体３０の収容室２０への挿入と共に収容室２０の凹部６２に収容される凸部６４と、を少なくとも１つずつ有すること。【選択図】図９
2017028768.tif 000002
【特許請求の範囲】
【請求項１】
電子部品が収容され、前記電子部品に対して電気的に接続された電線が外部に引き出される筐体と、
複数の前記電子部品が保持され、前記筐体の内部に形成された収容室に前記電子部品と共に収容される電子部品保持体と、
を備え、
前記収容室の壁部は、前記収容室の内方に向けて突出させ、かつ、前記電子部品保持体の前記収容室への挿入方向に沿って延在させた凸部と、前記収容室の外方に向けて凹ませ、前記挿入方向に沿って延在させた凹部と、を少なくとも１つずつ有し、
前記電子部品保持体における前記収容室の前記壁部と対向する壁部は、前記電子部品保持体の前記収容室への挿入と共に前記収容室の前記凸部が収容される凹部と、前記電子部品保持体の前記収容室への挿入と共に前記収容室の前記凹部に収容される凸部と、を少なくとも１つずつ有することを特徴とした電気接続箱。
【請求項２】
前記収容室の前記凸部と前記凹部は、前記収容室の前記壁部の全面に渡って配置することを特徴とした請求項１に記載の電気接続箱。
【請求項３】
前記収容室の前記凸部と前記凹部は、各々複数配置し、
前記電子部品保持体の前記凸部は、前記収容室のそれぞれの前記凹部の内の少なくとも１つに対して設け、
前記電子部品保持体の前記凹部は、前記収容室のそれぞれの前記凸部の内の少なくとも１つに対して設けることを特徴とした請求項１又は２に記載の電気接続箱。
【請求項４】
前記収容室の前記凸部と前記凹部は、前記収容室における前記筐体の内方側の前記壁部に形成することを特徴とした請求項１，２又は３に記載の電気接続箱。
【請求項５】
前記筐体は、前記収容室として、前記電子部品保持体を収容する第１収容室と、前記電子部品を単品で収容する第２収容室と、を少なくとも１つずつ有し、
前記第１収容室と前記第２収容室が互いに共通の壁部を有する場合には、前記共通の壁部に前記収容室の前記凸部と前記凹部とを設けることを特徴とした請求項１，２，３又は４に記載の電気接続箱。
【請求項６】
電線と、
電子部品が収容され、前記電子部品に対して電気的に接続された前記電線が外部に引き出される筐体、及び、複数の前記電子部品が保持され、前記筐体の内部に形成された収容室に前記電子部品と共に収容される電子部品保持体を有する電気接続箱と、
を備え、
前記収容室の壁部は、前記収容室の内方に向けて突出させ、かつ、前記電子部品保持体の前記収容室への挿入方向に沿って延在させた凸部と、前記収容室の外方に向けて凹ませ、前記挿入方向に沿って延在させた凹部と、を少なくとも１つずつ有し、
前記電子部品保持体における前記収容室の前記壁部と対向する壁部は、前記電子部品保持体の前記収容室への挿入と共に前記収容室の前記凸部が収容される凹部と、前記電子部品保持体の前記収容室への挿入と共に前記収容室の前記凹部に収容される凸部と、を少なくとも１つずつ有することを特徴としたワイヤハーネス。
【発明の詳細な説明】
【技術分野】
【０００１】
本発明は、電気接続箱及びワイヤハーネスに関する。
【背景技術】
【０００２】
従来、電子部品が内部の空間に収容され、その電子部品に接続された電線が外部に引き出されている電気接続箱が知られている。更に、その電気接続箱を有するワイヤハーネスが知られている。電気接続箱やワイヤハーネスは、例えば、車両に搭載され、車両の電源と負荷との間に介在させる。下記の特許文献１及び２には、このような電気接続箱について開示されている。
【先行技術文献】
【特許文献】
【０００３】
【特許文献１】特開平１１−９８６４７号公報
【特許文献１】特開２００８−２３６８４７号公報
【発明の概要】
【発明が解決しようとする課題】
【０００４】
ところで、電気接続箱には、その内部の空間に、収容対象となる電子部品毎又は電子部品群毎に区画された複数の収容室を備えたものもある。その収容室の壁部は、厚みが増すほど高強度となる反面、電気接続箱の重量化や体格の大型化を招いてしまうので、その体格や重量を鑑みた上での適度な厚みに設定する必要がある。このため、収容室の壁部は、壁面の面積が大きいほど外力に対する強度が弱くなってしまう可能性がある。そして、そのような低強度の壁部は、その成形時に傾倒し、傾倒状態のままになってしまっている可能性がある。更に、その傾倒方向が収容室の内側を向いている場合には、その収容室への電子部品等の挿入作業性を低下させてしまう虞がある。
【０００５】
そこで、本発明は、収容室の壁部の強度の確保と収容室への電子部品等の挿入作業性の向上とを両立可能な電気接続箱及びワイヤハーネスを提供することを、その目的とする。
【課題を解決するための手段】
【０００６】
上記目的を達成する為、本発明に係る電気接続箱は、電子部品が収容され、前記電子部品に対して電気的に接続された電線が外部に引き出される筐体と、複数の前記電子部品が保持され、前記筐体の内部に形成された収容室に前記電子部品と共に収容される電子部品保持体と、を備え、前記収容室の壁部は、前記収容室の内方に向けて突出させ、かつ、前記電子部品保持体の前記収容室への挿入方向に沿って延在させた凸部と、前記収容室の外方に向けて凹ませ、前記挿入方向に沿って延在させた凹部と、を少なくとも１つずつ有し、前記電子部品保持体における前記収容室の前記壁部と対向する壁部は、前記電子部品保持体の前記収容室への挿入と共に前記収容室の前記凸部が収容される凹部と、前記電子部品保持体の前記収容室への挿入と共に前記収容室の前記凹部に収容される凸部と、を少なくとも１つずつ有することを特徴としている。
【０００７】
ここで、前記収容室の前記凸部と前記凹部は、前記収容室の前記壁部の全面に渡って配置することが望ましい。
【０００８】
また、前記収容室の前記凸部と前記凹部は、各々複数配置し、前記電子部品保持体の前記凸部は、前記収容室のそれぞれの前記凹部の内の少なくとも１つに対して設け、前記電子部品保持体の前記凹部は、前記収容室のそれぞれの前記凸部の内の少なくとも１つに対して設けることが望ましい。
【０００９】
また、前記収容室の前記凸部と前記凹部は、前記収容室における前記筐体の内方側の前記壁部に形成することが望ましい。
【００１０】
また、前記筐体は、前記収容室として、前記電子部品保持体を収容する第１収容室と、前記電子部品を単品で収容する第２収容室と、を少なくとも１つずつ有し、前記第１収容室と前記第２収容室が互いに共通の壁部を有する場合には、前記共通の壁部に前記収容室の前記凸部と前記凹部とを設けることが望ましい。
【００１１】
また、上記目的を達成する為、本発明に係るワイヤハーネスは、電線と、電子部品が収容され、前記電子部品に対して電気的に接続された前記電線が外部に引き出される筐体、及び、複数の前記電子部品が保持され、前記筐体の内部に形成された収容室に前記電子部品と共に収容される電子部品保持体を有する電気接続箱と、を備え、前記収容室の壁部は、前記収容室の内方に向けて突出させ、かつ、前記電子部品保持体の前記収容室への挿入方向に沿って延在させた凸部と、前記収容室の外方に向けて凹ませ、前記挿入方向に沿って延在させた凹部と、を少なくとも１つずつ有し、前記電子部品保持体における前記収容室の前記壁部と対向する壁部は、前記電子部品保持体の前記収容室への挿入と共に前記収容室の前記凸部が収容される凹部と、前記電子部品保持体の前記収容室への挿入と共に前記収容室の前記凹部に収容される凸部と、を少なくとも１つずつ有することを特徴としている。
【発明の効果】
【００１２】
本発明に係る電気接続箱及びワイヤハーネスは、収容室の壁部に凸部と凹部とを設けているので、その壁部の強度を向上させることができ、外力による壁部の傾倒や成形時の壁部の傾倒を抑えることができる。このため、この電気接続箱及びワイヤハーネスは、その収容室に対する電子部品保持体の挿入作業性を向上させることができる。更に、この電気接続箱及びワイヤハーネスにおいては、電子部品保持体の収容室への挿入と共に凸部が収容される凹部と、電子部品保持体の収容室への挿入と共に凹部に収容される凸部と、を電子部品保持体の壁部に設けており、これらが電子部品保持体を収容室に挿入する際のガイド機能を成しているので、収容室に対する電子部品保持体の挿入作業性を向上させることができる。つまり、この電気接続箱及びワイヤハーネスにおいては、収容室の壁部の強度を確保すると共に、収容室に対する電子部品保持体の挿入作業性を向上させることができる。
【図面の簡単な説明】
【００１３】
【図１】図１は、実施形態の電気接続箱及びワイヤハーネスを示す斜視図である。
【図２】図２は、実施形態の電気接続箱のカバー部品を取り外した状態を示す斜視図である。
【図３】図３は、実施形態の電気接続箱の分解斜視図である。
【図４】図４は、筐体の主体部品を示す上面図である。
【図５】図５は、第１電子部品と電子部品保持体とを示す斜視図である。
【図６】図６は、第１電子部品と電子部品保持体とを示す別角度の斜視図である。
【図７】図７は、筐体の主体部品を示す斜視図である。
【図８】図８は、筐体の主体部品を示す別角度の斜視図である。
【図９】図９は、図２のＸ−Ｘ線で切った筐体の主体部品と電子部品保持体の断面図である。
【発明を実施するための形態】
【００１４】
以下に、本発明に係る電気接続箱及びワイヤハーネスの実施形態を図面に基づいて詳細に説明する。尚、この実施形態によりこの発明が限定されるものではない。
【００１５】
［実施形態］
本発明に係る電気接続箱及びワイヤハーネスの実施形態の１つを図１から図９に基づいて説明する。
【００１６】
図１及び図２の符号１は、本実施形態の電気接続箱を示す。また、図１の符号ＷＨは、その電気接続箱１を備えたワイヤハーネスを示す。
【００１７】
本実施形態の電気接続箱１とは、電源（図示略）や負荷（図示略）、センサ（図示略）等の接続対象物に対して電気的に接続される様々な電子部品１００を内部に収容したものである。その電子部品１００とは、例えば、リレー、ヒューズ等の回路保護部品、コネクタなどのことである。以下においては、この種の電子部品１００のことを第１電子部品１０１と称する。また、本実施形態では、電子制御ユニット（いわゆるＥＣＵ）等の電子機器についても、電気接続箱１に収容される電子部品１００とする。以下においては、この種の電子部品１００のことを第２電子部品１０２と称する。収容されている電子部品１００には、該当する電線（電力供給線や信号線等）１５０が電気的に接続されている。電気接続箱１においては、その電線１５０が外部に引き出されている。この電気接続箱１は、その電線１５０等と共にワイヤハーネスＷＨを成す。ワイヤハーネスＷＨは、例えば、車両に配設され、電源（二次電池）側や負荷としての電気機器（アクチュエータ等）側などに電線１５０を介して繋がれる。
【００１８】
本実施形態の電気接続箱１は、複数の電子部品１００が収容され、その電子部品１００に対して電気的に接続された電線１５０が外部に引き出される筐体１０を備える。筐体１０は、合成樹脂等の絶縁性材料で成形されたものであり、その内部に電子部品１００が収容される空間を有している。その内部の空間には、電子部品１００の収容室２０が複数形成される（図３及び図４）。その収容室２０は、電子部品１００毎や複数の電子部品１００の組み合わせ（以下、「電子部品群」という。）毎に形成される。つまり、筐体１０は、その収容室２０として、電子部品群を後述する電子部品保持体３０と共に収容する第１収容室２１と、電子部品１００を単品で収容する第２収容室２２と、を少なくとも１つずつ有している。
【００１９】
ここで、本実施形態の筐体１０は、複数の構成部品によって形成される。例えば、この例示の筐体１０は、主体部品１１とカバー部品１２とを互いに組み付けることによって形成されている。主体部品１１は、電子部品１００の挿入口として利用される開口１１ａと、その開口１１ａから挿入された電子部品１００を収容する収容室２０と、を有している。カバー部品１２は、主体部品１１の開口１１ａを塞ぐものである。
【００２０】
具体的に、この筐体１０には、２つの収容室２０（第１収容室２１、第２収容室２２）が設けられている。
【００２１】
第１収容室２１は、電子部品群が収容される空間である。この例示の電子部品群は、同一種類又は複数種類から成る複数の第１電子部品１０１の組み合わせである。ここで例示する第１電子部品１０１は、電気接続箱１の外部に配置されている２者間（例えば電源と負荷との間）を電気的に接続させるコネクタである。
【００２２】
電子部品群を成すそれぞれの第１電子部品１０１は、電子部品保持体３０に保持され、この電子部品保持体３０によって一体化された状態で第１収容室２１に一緒に収容される。その電子部品保持体３０は、合成樹脂等の絶縁性材料で成形されたものであり、その内部にそれぞれの第１電子部品１０１が収容及び保持される空間を有している。この電子部品保持体３０は、ブロックと称される場合もある。この例示の電子部品保持体３０は、保持部材３１とガイド部材３２とを互いに組み付けることによって形成される（図５及び図６）。
【００２３】
保持部材３１は、それぞれの第１電子部品１０１を収容及び保持する部材である。この保持部材３１は、第１収容室２１への挿入方向における両端に開口を有しており、保持しているそれぞれの第１電子部品１０１の一部を一方の開口から露出させる。その第１電子部品１０１の露出部分からは、この第１電子部品１０１に対して電気的に接続されている一方の電線１５０が導き出されている。ここで、この保持部材３１は、第１収容室２１の内部において、一方の開口が開口１１ａ側にくるように、ガイド部材３２よりも開口１１ａ側に配置される。それぞれの第１電子部品１０１における一方の電線１５０は、カバー部品１２に沿って配策され、筐体１０の第１電線導出部４１から筐体１０の外部に引き出される（図１）。
【００２４】
これに対して、保持部材３１の他方の開口からは、第１電子部品１０１に対して電気的に接続されている他方の電線１５０が導き出される。ガイド部材３２は、その他方の電線１５０を案内する部材であり、保持部材３１の他方の開口を塞ぐよう当該保持部材３１に取り付けられる。このガイド部材３２に案内された他方の電線１５０は、第２電線導出部４２から筐体１０の外部に引き出される（図１）。第２電線導出部４２は、筐体１０に設けてもよく、電子部品保持体３０に設けてもよい。この例示では、電子部品保持体３０に設ける。このため、第２電線導出部４２は、電子部品保持体３０が第１収容室２１へと収容された際に筐体１０の外部に露出するよう形成する。
【００２５】
第１収容室２１に収容された電子部品保持体３０は、保持機構５１を介して第１収容室２１に保持される。保持機構５１は、第１収容室２１の内壁面に設けた第１係合部５１ａ（図７）と、電子部品保持体３０に設けた第２係合部５１ｂ（図５）と、を備える。本実施形態の保持機構５１は、第１係合部５１ａと第２係合部５１ｂの内の一方を突出体とし、他方を当該突出体に係合する爪部とするロック機構である。この例示では、第１係合部５１ａを突出体として形成し、第２係合部５１ｂを爪部として形成する。第１係合部５１ａは、筐体１０の外郭を成す第１収容室２１の第１壁部２１ａに設ける。その第１壁部２１ａは、電子部品保持体３０の第１収容室２１への挿入方向に沿い、かつ、収容された電子部品保持体３０の第１壁部３０ａと対向する内壁面２１ａ１を有する。第１係合部５１ａは、その内壁面２１ａ１から電子部品保持体３０の第１壁部３０ａに向けて突出させる。第２係合部５１ｂは、その第１壁部３０ａに設ける。第２係合部５１ｂは、第１壁部３０ａから突出させた突出体の先端を爪形状に形成したものである。その突出体は、第１壁部３０ａ側の根元を支点にした弾性変形が可能なものである。このため、保持機構５１は、電子部品保持体３０が第１収容室２１に挿入されるにつれて、第１係合部５１ａが第２係合部５１ｂを押動し、電子部品保持体３０が第１収容室２１に収容されたときに、第２係合部５１ｂが押動前の元の位置に戻って第１係合部５１ａに係合して、電子部品保持体３０の第１収容室２１からの抜けを抑えることができる。
【００２６】
また、その第１壁部３０ａには、板状体５２が設けられている（図５）。その板状体５２は、電子部品保持体３０の第１収容室２１への挿入方向に沿う壁面を有しており、第１壁部３０ａに対して間隔を空けて一体化されている。第１収容室２１の第１壁部２１ａには、その挿入方向に沿って板状体５２の両端を囲うガイド部５３が設けられている（図７）。板状体５２においては、その両端が第１収容室２１に挿入される際の被ガイド部５２ａ，５２ｂとして利用される。従って、電子部品保持体３０を第１収容室２１に挿入する際には、その板状体５２の被ガイド部５２ａ，５２ｂと第１壁部２１ａのガイド部５３とによって、電子部品保持体３０が挿入方向へと案内される。故に、この電気接続箱１においては、電子部品保持体３０の第１収容室２１に対する挿入作業性が向上している。
【００２７】
第２収容室２２は、第２電子部品１０２が収容される空間である。ここでは、第２電子部品１０２として電子制御ユニットを例示している。第２収容室２２は、第１収容室２１に隣接して配置されている。この第２収容室２２における筐体１０の内方側の壁部２２ａは、その一部が第１収容室２１における筐体１０の内方側の第２壁部２１ｂとしても利用される（図４等）。つまり、筐体１０の内部においては、第１収容室２１と第２収容室２２とが互いに共通の壁部を有している。その第２壁部２１ｂは、第１壁部２１ａに対向している壁部であり、電子部品保持体３０の第１収容室２１への挿入方向に沿い、かつ、収容された電子部品保持体３０の第２壁部３０ｂの外壁面３０ｂ１と対向する内壁面２１ｂ１を有する。
【００２８】
第２電子部品１０２においては、第２収容室２２へと収容された際に、電気的に接続されている電線１５０が開口１１ａ側に導出されている。その電線１５０は、筐体１０の第３電線導出部４３から筐体１０の外部に引き出される（図１）。また、第２収容室２２に収容された第２電子部品１０２は、２つのブラケット５４Ａ，５４Ｂ（図３）を介して、第２収容室２２の２つの固定部５５Ａ，５５Ｂ（図４等）に螺子止め等で固定される。
【００２９】
ところで、本実施形態の第２壁部２１ｂには、その補強のために凸部６１と凹部６２とを少なくとも１つずつ設ける（図７−図９）。凸部６１は、第１収容室２１の内方に向けて突出させた部位である。凹部６２は、第１収容室２１の外方に向けて（つまり第２収容室２２に向けて）凹ませた部位である。この凸部６１と凹部６２は、開口１１ａと第１収容室２１の底壁２１ｃとの間において、電子部品保持体３０の第１収容室２１への挿入方向に沿って延在させる。凸部６１は、第２壁部２１ｂの内壁面２１ｂ１に対して突出させたものであってもよく、その内壁面２１ｂ１が突出側の頂面となるものであってもよい。前者の凸部６１の場合、凹部６２は、その内壁面２１ｂ１に対して凹ませたものであってもよく、その内壁面２１ｂ１が凹み側の底面となるものであってもよい。一方、後者の凸部６１の場合には、その内壁面２１ｂ１に対して凹ませたものが凹部６２となる。第２壁部２１ｂは、その凸部６１と凹部６２によって補強され、所望の強度を確保することができる。
【００３０】
ここで、所望の強度とは、例えば、電気接続箱１の組み立て時に作用する外力によって第２壁部２１ｂが傾倒せず、かつ、筐体１０の成形時にも傾倒しないだけの強度のことである。凸部６１と凹部６２は、第２壁部２１ｂが所望の強度を確保できるように設ける。例えば、凸部６１と凹部６２は、その所望の強度に応じて、突出量や凹み量、数量や配置等が決められる。本実施形態では、内壁面２１ｂ１に沿う方向で、かつ、電子部品保持体３０の第１収容室２１への挿入方向に対する直交方向に、凸部６１と凹部６２を交互に並べて配置する。また、その凸部６１と凹部６２は、第２壁部２１ｂの全面に渡って配置することが望ましい。また、本実施形態では、凸部６１と凹部６２を各々複数設けることが望ましい。この例示では、第１から第４の凸部６１Ａ，６１Ｂ，６１Ｃ，６１Ｄと第１から第４の凹部６２Ａ，６２Ｂ，６２Ｃ，６２Ｄが形成されている（図４等）。
【００３１】
更に、本実施形態の電気接続箱１においては、その凸部６１が収容される凹部６３と、その凹部６２に収容される凸部６４と、を電子部品保持体３０の第２壁部３０ｂに形成している（図６）。凹部６３は、電子部品保持体３０の第１収容室２１への挿入と共に、この第１収容室２１の凸部６１が収容されるものである。このため、この凹部６３は、電子部品保持体３０の内方に向けて（つまり第２壁部２１ｂの内壁面２１ｂ１から離れる方向）に凹ませ、かつ、電子部品保持体３０の第１収容室２１への挿入方向に沿って延在させる。よって、この凹部６３は、第１収容室２１の凸部６１と相俟って、電子部品保持体３０を第１収容室２１へと挿入する際のガイド機能を成している。また、凸部６４は、電子部品保持体３０の第１収容室２１への挿入と共に、この第１収容室２１の凹部６２に収容されるものである。このため、この凸部６４は、電子部品保持体３０の外方に向けて（つまり第２壁部２１ｂの内壁面２１ｂ１に向けて）突出させ、かつ、電子部品保持体３０の第１収容室２１への挿入方向に沿って延在させる。よって、この凸部６４は、第１収容室２１の凹部６２と相俟って、電子部品保持体３０を第１収容室２１へと挿入する際のガイド機能を成している。このように、本実施形態の電気接続箱１においては、第１収容室２１の凸部６１と電子部品保持体３０の凹部６３とによって、更に第１収容室２１の凹部６２と電子部品保持体３０の凸部６４とによって、電子部品保持体３０の第１収容室２１に対する挿入作業性を向上させることができる。
【００３２】
ここで、第１収容室２１の凸部６１と電子部品保持体３０の凹部６３は、互いの幅を同等の大きさに形成して、その相互間で嵌合されるものであってもよく、凸部６１の幅よりも凹部６３の幅を大きくして、その相互間に遊びを設けてもよい。また、第１収容室２１の凹部６２と電子部品保持体３０の凸部６４は、互いの幅を同等の大きさに形成して、その相互間で嵌合されるものであってもよく、凹部６２の幅よりも凸部６４の幅を小さくして、その相互間に遊びを設けてもよい。尚、幅とは、内壁面２１ｂ１や外壁面３０ｂ１に沿う方向で、かつ、電子部品保持体３０の第１収容室２１への挿入方向に対する直交方向における大きさのことをいう（以下同様）。
【００３３】
凹部６３は、第１収容室２１の全ての凸部６１に対して１つずつ設けてもよく、それぞれの凸部６１の内の少なくとも１つに対して設けてもよい。また、凸部６４は、第１収容室２１の全ての凹部６２に対して１つずつ設けてもよく、それぞれの凹部６２の内の少なくとも１つに対して設けてもよい。つまり、凹部６３と凸部６４は、少なくとも１つずつ設ければよい。この例示では、第１から第３の凸部６１Ａ，６１Ｂ，６１Ｃに各々対応させた第１から第３の凹部６３Ａ，６３Ｂ，６３Ｃと、第１及び第２の凹部６２Ａ，６２Ｂに各々対応させた第１及び第２の凸部６４Ａ，６４Ｂと、が形成されている（図９）。
【００３４】
第１から第３の凹部６３Ａ，６３Ｂ，６３Ｃは、それぞれに、保持部材３１に形成された凹部６３Ａ１，６３Ｂ１，６３Ｃ１と、ガイド部材３２に形成された凹部６３Ａ２，６３Ｂ２，６３Ｃ２と、によって構成される。凹部６３Ａ１と凹部６３Ａ２は、各々同等の幅を有するものであり、第２壁部３０ｂの幅方向における同等の位置に形成される。これと同様のことは、凹部６３Ｂ１と凹部６３Ｂ２との間及び凹部６３Ｃ１と凹部６３Ｃ２との間においてもいえる。
【００３５】
また、第１及び第２の凸部６４Ａ，６４Ｂは、それぞれに、保持部材３１に形成された凸部６４Ａ１，６４Ｂ１と、２本のリブ６４Ａ２，６４Ｂ２と、によって構成される。凸部６４Ａ１と２本のリブ６４Ａ２は、第２壁部３０ｂの幅方向における同等の位置に形成される。これと同様のことは、凸部６４Ｂ１と２本のリブ６４Ｂ２との間においてもいえる。更に、２本のリブ６４Ａ２は、それぞれのリブ６４Ａ２を外郭とする仮想方体の幅が凸部６４Ａ１の幅と同等になるように形成する。これと同様のことは、凸部６４Ｂ１と２本のリブ６４Ｂ２との間においてもいえる。
【００３６】
以上示したように、本実施形態の電気接続箱１及びワイヤハーネスＷＨにおいては、第１収容室２１の第２壁部２１ｂに凸部６１と凹部６２とを設けているので、第２壁部２１ｂの強度を向上させることができ、外力による第２壁部２１ｂの傾倒や成形時の第２壁部２１ｂの傾倒を抑えることができる。このため、この電気接続箱１及びワイヤハーネスＷＨは、その第１収容室２１に対する電子部品保持体３０の挿入作業性を向上させることができる。更に、この電気接続箱１及びワイヤハーネスＷＨにおいては、電子部品保持体３０の第１収容室２１への挿入と共に凸部６１が収容される凹部６３と、電子部品保持体３０の第１収容室２１への挿入と共に凹部６２に収容される凸部６４と、を電子部品保持体３０の第２壁部３０ｂに設けており、これらが電子部品保持体３０を第１収容室２１に挿入する際のガイド機能を成しているので、第１収容室２１に対する電子部品保持体３０の挿入作業性を向上させることができる。つまり、本実施形態の電気接続箱１及びワイヤハーネスＷＨにおいては、第１収容室２１の第２壁部２１ｂの強度を確保すると共に、第１収容室２１に対する電子部品保持体３０の挿入作業性を向上させることができる。
【００３７】
ここで、凸部６１と凹部６２は、電子部品保持体３０の第１収容室２１への挿入方向に沿う第１収容室２１の壁部の内の少なくとも１つに設ければよい。この場合、電子部品保持体３０においては、その凸部６１と凹部６２が設けられた第１収容室２１の壁部に対向する壁部に凹部６３と凸部６４を設ける。例えば、凸部６１と凹部６２は、第１収容室２１の第２壁部２１ｂだけでなく又は第２壁部２１ｂに替えて、第１収容室２１の第１壁部２１ａに設けてもよい。この場合、凹部６３と凸部６４は、電子部品保持体３０の第２壁部３０ｂだけでなく又は第２壁部３０ｂに替えて、電子部品保持体３０の第１壁部３０ａに設けてもよい。このように構成したとしても、その電気接続箱１及びワイヤハーネスＷＨにおいては、第１収容室２１の壁部（第１壁部２１ａや第２壁部２１ｂ）の強度を確保すると共に、第１収容室２１に対する電子部品保持体３０の挿入作業性を向上させることができる。
【００３８】
また、本実施形態の第２電子部品１０２は、電子制御ユニットであり、発熱体となる。このため、第２電子部品１０２は、その放熱や冷却を促進させるべく、第２収容室２２の壁部に対して間隔を空けて収容することが望ましい。このため、この例示では、第２収容室２２の壁部に凸部６１と凹部６２を設けていない。但し、第２電子部品１０２の放熱性能や冷却性能を確保することができる場合には、第２収容室２２の壁部に凸部６１と凹部６２を設け、これらに対応する凹部６３と凸部６４を第２電子部品１０２の筐体等に設けてもよい。これにより、この電気接続箱１及びワイヤハーネスＷＨにおいては、第２収容室２２の壁部の強度を確保すると共に、第２収容室２２に対する第２電子部品１０２の挿入作業性を向上させることができる。
【符号の説明】
【００３９】
１  電気接続箱
１０  筐体
１１  主体部品
１１ａ  開口
１２  カバー部品
２０  収容室
２１  第１収容室
２１ｂ  第２壁部
２２  第２収容室
３０  電子部品保持体
３０ｂ  第２壁部
６１  凸部
６２  凹部
６３  凹部
６４  凸部
１００  電子部品
１５０  電線
【図１】
2017028768.tif 000003
【図２】
2017028768.tif 000004
【図３】
2017028768.tif 000005
【図４】
2017028768.tif 000006
【図５】
2017028768.tif 000007
【図６】
2017028768.tif 000008
【図７】
2017028768.tif 000009
【図８】
2017028768.tif 000010
【図９】
2017028768.tif 000011